(57)【要約】【課題】吸込みヘッドの左右方向の一端から他端にわたる全幅で床面を掃除することができる電気掃除機用吸込み口体を提供する。【解決手段】底壁１３ａに吸込み開口１５を有した吸込みヘッド１２内に、清掃体駆動手段の駆動により回転される回転清掃体２１が、その周部をなした床面清掃部材２３の下部を吸込み開口１５に通した状態で、軸受２４により回転自在に支持された吸込み口体１１であって、左右一対の端部床面拭き部材６２と、拭き部材駆動手段を具備する。左右一対の端部床面拭き部材６２を、吸込みヘッド１２を前又は後方向から見た状態で回転清掃体２１の床面清掃部材２３に連続するように底壁１３ａの両端部下側で、かつ、底壁１３ａに沿って往復移動可能に夫々配設する。これら端部床面拭き部材６２を拭き部材駆動手段により往復移動させながら、フローリング床面を掃除するようにしたことを特徴としている。【選択図】図３
2010259534.tif 000002
【特許請求の範囲】
【請求項１】
底壁に吸込み開口を有した吸込みヘッドと、このヘッドの後部に取付けられた接続管と、周部が床面清掃部材で形成されているとともにこの床面清掃部材の下部が前記吸込み開口に通された状態で前記吸込みヘッド内に軸受により回転自在に支持された回転清掃体と、前記吸込みヘッドに内蔵され前記回転清掃体を回転させる清掃体駆動手段とを具備した電気掃除機用吸込み口体において、
下ベース部とこの下ベース部に装着された下部拭き要素とからなる左右一対の端部床面拭き部材を備え、これら端部拭き部材が、前記吸込みヘッドを前又は後方向から見た状態で前記回転清掃体の床面清掃部材に連続するように前記底壁の両端部下側で、かつ、前記底壁に沿って往復移動可能に夫々配設されているとともに、一対の前記端部床面拭き部材を往復移動させる拭き部材駆動手段を前記吸込みヘッドに設けたことを特徴とする電気掃除機用吸込み口体。
【請求項２】
前記接続管が、前側接続管部、及びこの前側接続管部の略真後ろに連続する位置と前記前側接続管部に対して折れ曲がるように連続する位置とにわたって回動自在に接続された後側接続管部を有し、
前記吸込みヘッドがその後部中央部から後向きに突出された接続凸部を有し、
この接続凸部に前記前側接続管部がその前後方向に延びる中心軸線の周りに回転可能に接続されていて、
前記接続凸部に対して前記後側接続管部が斜めに起こされた状態でこの後側接続管部に加えられる斜め下向きの操作力を被掃除床面に接して支持する受圧部材を前記接続凸部に取付け、この受圧部材の下端が前記端部床面拭き部材の下面よりも低く配置されていることを特徴とする請求項１に記載の電気掃除機用吸込み口体。
【請求項３】
前記吸込みヘッドの前端に配置されて前記端部床面拭き部材と一体に往復移動される前面拭き部材を備え、この前面拭き部材が、前記下ベース部の前端から上向きに折れ曲がって前記吸込みヘッドを前側から覆った前ベース部と、この前ベース部に装着された前部拭き要素とからなり、前記下部拭き要素の前縁と前記前部拭き要素の下縁との間に前記吸込み開口に連通する通気溝が形成されていることを特徴とする請求項１又は２に記載の電気掃除機用吸込み口体。
【請求項４】
一対の前記端部床面拭き部材と一体に往復移動される後部床面拭き部材が、一対の前記端部床面拭き部材にわたって前記底壁の下側に配設されていて、これら一対の端部床面拭き部材と後部床面拭き部材とで前記吸込み開口がその前側を除いて囲まれていることを特徴とする請求項１から３の内のいずれか一項に記載の電気掃除機用吸込み口体。
【請求項５】
一対の前記端部床面拭き部材の前後いずれかの縁に沿う固定ブラシ、若しくは前記端部床面拭き部材を横切る固定ブラシを備えるとともに、この固定ブラシの下方への突出長さが、前記端部床面拭き部材が有した下部拭き要素の厚みより長いことを特徴とする請求項１，２．４の内のいずれか一項に記載の電気掃除機用吸込み口体。
【請求項６】
前記固定ブラシの前側又は後側の少なくとも一方に、この固定ブラシの根元に沿って延びるとともに前記吸込み開口に連通する通気用の根元溝が設けられていることを特徴とする請求項５に記載の電気掃除機用吸込み口体。
【請求項７】
吸塵口を有した掃除機本体と、
前記吸塵口に接続された吸塵ホース、この吸塵ホースの先端部に接続された延長管、及びこの延長管の先端部に接続された請求項１から６の内のいずれか一項に記載の吸込み口体を有した吸塵風路体と、
を具備したことを特徴とする電気掃除機。
【発明の詳細な説明】
【技術分野】
【０００１】
本発明は、回転清掃体を有した電気掃除機用吸込み口体、及びこの吸込み口体を備えた電気掃除機に関する。
【背景技術】
【０００２】
吸込具の下部吸込具に、モーターにより回転されてじゅうたんの塵埃を掻き出すアジテーターを取付けるとともに、起毛布が支持された起毛布支持部を、駆動源により吸込具の前後或いは左右方向に水平往復移動可能に取付けた電気掃除機用の吸込具が、従来技術として知られている（例えば、特許文献１参照。）。
【０００３】
詳しくは、下部吸込具の前部に下方開口を吸込口とした吸込室が形成され、この吸込室の両側室壁に配設した軸受で回転自在に保持されたアジテーターは、アジテーター駆動用のモーターが通電されることにより回転されるようになっている。下部吸込具の後部に、起毛布支持部が前後方向に摺動可能に取付けられているとともに、この起毛布支持部を前後方向に往復移動させる駆動源として電磁石が取付けられている。起毛布支持部には吸込具の底面より突出する起毛布が支持されている。アジテーターと起毛布は略同じ長さで前後に並んで配設されている。
【０００４】
この従来の吸込具は、アジテーターの駆動中は電磁石駆動回路が作動せず、起毛布は静止状態を維持する。そして、電磁石が駆動されることにより、この電磁石に連動して起毛布支持部と共に起毛布が床面に対して水平往復動される。このため、起毛布による床面に対する掃き出し回数を、吸込具の一往復に対して多くとれる。したがって、起毛布による掃き出し効果を発揮させることができる。
【先行技術文献】
【特許文献】
【０００５】
【特許文献１】特開平５−１８４４９２号公報（段落0008−0018、図１−図４）
【発明の概要】
【発明が解決しようとする課題】
【０００６】
特許文献１の吸込具が有した下部吸込具の底壁の前側左右両端部は、アジテーターが有した可撓性の攪拌体の左右両端から側方に外れており、この両端部でアジテーターを回転自在に支持した軸受が覆われている。吸込具を前方から見て、アジテーターの後方への投影領域に、起毛布の略全体が配置されている。下部吸込具の底壁の後側左右両端部は、起毛布の左右両端に連続するように設けられている。
【０００７】
したがって、下部吸込具の左右両端部は、アジテーター及び起毛布の両端からそれらの左右方向に外れている。そのため、下部吸込具の左右両端部の下方に対向した床面は、アジテーターが回転された場合にも、起毛布が床面に対して水平往復動された場合にも、回転するアジテーター及び水平往復動される起毛布による床面の掃除対象範囲から外れてしまう。
【０００８】
これにより、従来の電気掃除機用吸込具は、その左右方向の一端から他端にわたる全幅で床面を掃除することができない、という課題がある。
【課題を解決するための手段】
【０００９】
本発明は、底壁に吸込み開口を有した吸込みヘッド内に、清掃体駆動手段の駆動により回転される回転清掃体が、その周部をなした床面清掃部材の下部を吸込み開口に通した状態で、軸受により回転自在に支持された電気掃除機用吸込み口体を前提とする。そして、前記の課題を解決するために、本発明は、左右一対の端部床面拭き部材と、拭き部材駆動手段を具備するとともに、左右一対の端部床面拭き部材を、吸込みヘッドを前又は後方向から見た状態で回転清掃体の床面清掃部材に連続するように吸込みヘッドの底壁の両端部下側で、かつ、底壁に沿って往復移動可能に夫々配設し、これら端部床面拭き部材を拭き部材駆動手段により往復移動させながら、被掃除対象の床面を拭き掃除するようにしたことを特徴としている。
【発明の効果】
【００１０】
本発明によれば、拭き部材駆動手段により往復移動される左右の端部床面拭き部材と回転清掃体とが、吸込みヘッドを前又は後方向から見てこのヘッドの左右方向の一端から他端にわって連続するように設けられているので、これら回転清掃体及び左右の端部床面拭き部材により、吸込みヘッドの左右方向の一端から他端にわたる全幅で被掃除床面を掃除できる。
【図面の簡単な説明】
【００１１】
【図１】本発明の第１の実施の形態に係る電気掃除機を示す斜視図である。
【図２】図１の電気掃除機が備えた吸込み口体を示す斜視図である。
【図３】図２の吸込み口体を示す下面図である。
【図４】図２の吸込み口体を示す側面図である。
【図５】図２中Ｆ５−Ｆ５線に沿って示す吸込み口体の断面図である。
【図６】図２の吸込み口体が備えた吸込みヘッドをその上部ヘッドケースを外した状態で示す平面図である。
【図７】図２の吸込み口体が備えた吸込みヘッドをその上部ヘッドケースとファンブロックを外した状態で示す平面図である。
【図８】図２の吸込み口体が備えたファンブロックの一部を示す下面図である。
【図９】図２の吸込み口体の一端部を示す斜視図である。
【図１０】（Ａ）は図２の吸込み口体が備えた拭きユニットを裏返した状態で示す斜視図である。（Ｂ）は同拭きユニットを表側から見て示す斜視図である。
【図１１】図２の吸込み口体が備えた拭きユニットの駆動を説明する図であって、（Ａ）及び（Ｂ）は駆動の第１段階を示す略平面図及び略断面図、（Ｃ）及び（Ｄ）は駆動の第２段階を示す略平面図及び略断面図、（Ｅ）及び（Ｆ）は駆動の第３段階を示す略平面図及び略断面図、（Ｇ）及び（Ｈ）は駆動の第４段階を示す略平面図及び略断面図である。
【図１２】本発明の第２の実施の形態に係る電気掃除機が備えた吸込み口体を示す下面図である。
【図１３】図１２の吸込み口体の一端部を示す斜視図である。
【図１４】図１２の吸込み口体が備えた拭きユニットを示す斜視図である。
【発明を実施するための形態】
【００１２】
以下、本発明の第１の実施の形態について、図１から図１１を参照して詳細に説明する。
【００１３】
図１中符号１は第１実施形態に係る吸込み口体１１を備えた例えばキャニスタ型の電気掃除機を示している。この電気掃除機１は、掃除機本体２と、吸塵風路体５とを具備している。
【００１４】
車輪３が取付けられた掃除機本体２の後部に図示しない電動送風機が内蔵されている。掃除機本体２の前部は電動送風機の上流側となっており、この前部には図示しない塵分離手段及びこの手段で分離された塵を溜める集塵部等が設けられている。塵分離手段には、そこに吸引された塵の慣性エネルギーを利用して塵と空気を分離するサイクロン式等の慣性分離式の塵分離装置を好適に用いることができるが、紙パックを用いてもよく、或いは粗塵を慣性分離により空気から分離する塵分離装置と、粗塵以外の塵をろ過して空気から分離するフィルターとを併用した塵分離手段を用いることも可能である。
【００１５】
吸塵風路体５は、可撓性の吸塵ホース６と、延長管７と、吸込み口体１１とを備えている。吸塵ホース６の一端部(根元部)６ａは、例えば掃除機本体２の前部上面を開閉する蓋２ａに設けた吸塵口２ｂに取外し可能に差込み接続されていて、この接続により吸塵ホース６内と前記塵分離手段とが連通される。延長管７が着脱可能に嵌合して連結される吸塵ホース６の他端部（先端部）６ｂに、延長管７を介して吸込み口体１１を移動操作するためのハンドル８が設けられている。このハンドル８に前記電動送風機の運転等を指令する手元スイッチ９が取付けられている。
【００１６】
延長管７は外管７ａと内管７ｂとを例えば伸縮可能に組み合わせて形成されている。外管７ａは吸塵ホース６の他端部６ｂに着脱可能に嵌合されている。この外管７ａの他端（先端）から突出された内管７ｂの先端部７ｃに、吸込み口体１１の接続管が着脱可能に嵌合されている。
【００１７】
次に、吸込み口体１１について説明する。吸込み口体１１は、掃除対象である部屋のフローリング床面（被掃除床面）を掃除するのに好適なものであり、通常床ブラシとも称されている。図２及び図３に示すように吸込み口体１１は、後述する吸込みヘッド１２の後側中央部に接続管３１を取付けて形成され、この吸込み口体１１を表側及び裏側から見た形状は略Ｔ字状である。
【００１８】
図５に示すように吸込みヘッド１２は、いずれも合成樹脂製の下部ヘッドケース１３と上部ヘッドケース１４とをねじ止めして組み立てられている。図３に示すように吸込みヘッド１２は、その下部ヘッドケース１３の底壁１３ａに開口された吸込み開口１５を有している。吸込み開口１５は吸込みヘッド１２の幅方向に延びる長四角形をなしている。ここで、幅方向とは吸込みヘッド１２の左右方向（長手方向）を指している。本実施形態では吸込み開口１５の前側は、吸込みヘッド１２の前側からの吸塵を可能とするために下部ヘッドケース１３の前面に設けた前面開放部１５ａに連続されているが、下部ヘッドケース１３にその全幅（この幅寸法を図３中に符号Ｗで示す。）にわたる前壁を設けて吸込み開口１５の前端を閉じてもよい。
【００１９】
吸込み開口１５はその前側を除いて底壁１３ａで囲まれている。したがって、図３に示すように底壁１３ａは、吸込み開口１５の長手方向両端に連続した左右一対の端側底壁部１３ａ１と、吸込み開口１５の後側に連続した後側底壁部１３ａ２とで囲まれている。吸込みヘッド１２の幅方向に真っ直ぐ延びる後側底壁部１３ａ２は、図５に示すように下部ヘッドケース１３の下面に開放する溝部を有しており、この溝部の両端部は一対の端側底壁部１３ａ１の後端部を横切っていて、下部ヘッドケース１３の幅方向両側面に夫々開放されている。
【００２０】
図７に示すように下部ヘッドケース１３の例えば後側底壁部１３ａ２には、後述する拭きユニット６１の往復動を案内するための長孔１６が複数設けられている。これら長孔１６は、例えば左右方向に延びているとともに、一直線上に並んで配設されている。又、下部ヘッドケース１３には、後側底壁部１３ａ２を左右に二分するようにＬ字形の逃げ孔１３ｊが設けられている。
【００２１】
図５に示すように下部ヘッドケース１３は、左右一対の端側底壁部１３ａ１の前端から上向きに折れ曲がった一対の前壁１３ｂを有している。これら前壁１３ｂは図６及び図７に示すように下部ヘッドケース１３の左右両端部に設けられていて、これらの間に下部ヘッドケース１３の前面開放部が設けられている。これら前壁１３ｂの前記前面開放部と反対側の端は下部ヘッドケース１３の側壁１３ｃの前端に連続されている。
【００２２】
下部ヘッドケース１３の後部でかつ幅方向中央部に、接続凸部１３ｅが下部ヘッドケース１３の後壁１３ｄから後向きに一体に突設されている。被掃除床面に沿う吸込み口体１１の移動を容易にするためのローラ１７が、接続凸部１３ｅの後端部に回転自在に取付けられている。図３及び図４に示すように接続凸部１３ｅの下面にモヘアやフェルト等からなる受圧部材１８がローラ１７の前側に位置して装着されている。
【００２３】
受圧部材１８は掃除の際に被掃除床面に接触できるように接続凸部１３ｅの下面に常に突出する厚みを有している。具体的には、受圧部材１８が掃除の際に被掃除床面で押されて変形した場合でも、受圧部材１８の下面が後述する端部床面拭き部材６２及び後部床面拭き部材６３の下面より低くなるように受圧部材１８の厚みが設定されている。なお、ローラ１７の下端の位置も受圧部材１８の下面の高さ位置と同様である。これとともに、受圧部材１８が配設された位置に、受圧部材１８に代えてローラ１７を配設して、このローラ１７を受圧部材１８として用いることも可能である。
【００２４】
図３に示すように下部ヘッドケース１３に回転清掃体２１が取付けられている。回転清掃体２１は、両端が小径をなす回転軸２２（図５参照）と、この回転軸２２に取付けられた床面清掃部材２３と、回転軸２２の両端部に夫々装着された軸受２４と、図６及び図７に示した受動歯車２５を有している。床面清掃部材２３は回転清掃体２１の周部をなしている。この床面清掃部材２３は、例えばブラシ毛により形成されていて、回転軸２２の外周に螺旋状に巻付けられている。ブラシ毛の長さと腰の強さはフローリング床面にこの面を磨くように接触するのに好適となるように設定されている。
【００２５】
回転清掃体２１は、その左右の軸受２４を、下部ヘッドケース１３に形成されている一対の軸受支持部１９（一方のみ図５〜図７に示す。）に夫々取付けることによって、床面清掃部材２３の下部を吸込み開口１５から下方に突出させて吸込みヘッド１２に回転自在に支持されている。受動歯車２５は、回転軸２２の一端部に固定されていて、吸込み開口１５から外れて下部ヘッドケース１３の一端部内側に配設されている（図６及び図７参照）。
【００２６】
接続管３１は、図示しない水平な固定管部と、図２及び図４に示す前側接続管部３２と、後側接続管部３３とを有している。固定管部はその前端に四角い取付けフランジを有している。前側接続管部３２は固定管部の水平に延びる中心軸線（図示しない）周りに回転自在に接続されていて、これら固定管部と前側接続管部３２の中心軸線（図示しない）は同じである。後側接続管部３３は、前側接続管部３２の略真後ろに連続する位置と前側接続管部３２に対して折れ曲がるように連続する位置とにわたって回動自在に接続されている。固定管部と前側接続管部３２と後側接続管部３３は互いに連通されている。
【００２７】
接続管３１は、下部ヘッドケース１３と上部ヘッドケース１４の内面に対応して形成したフランジ係合部を、前記取付けフランジに係合させることによって吸込みヘッド１２に取付けられている。この取付け状態で、前側接続管部３２の後部及び後側接続管部３３は吸込みヘッド１２から後方に突出されていて、前側接続管部３２はその前後方向に水平に延びる中心軸線の周りに回転自在である。なお、図２〜図４中符号３３ａは後側接続管部３３の後部をなす挿入管を示し、この挿入管３３ａが延長管７の先端部７ｃに挿脱可能に差込み接続される。
【００２８】
通常の掃除の際において、図４に示すように接続凸部１３ｅに対して後側接続管部３３が斜め上側に起こされた状態で、吸込み口体１１が前後に押し引き操作される。この場合、後側接続管部３３に加えられる斜め下向きの操作力は主に接続凸部１３ｅに作用されようになっている。したがって、前記操作力が受圧部材１８及びローラ１７で主に支持される一方で、下部ヘッドケース１３の接続凸部１３ｅより前側部位に前記操作力が軽微に作用するようになっている。
【００２９】
接続管３１の入口をなした固定管部は下部ヘッドケース１３に開口された吸い口３５（図３及び図７参照）に連通されている。この連通は、下部ヘッドケース１３に設けたリブ１３ｆ,１３ｇ（図７参照）及び後述するファンブロック４２で仕切られた風路を介してなされている。つまり、風路の入口は吸い口３５である。風路の出口３８（図７参照）は下部ヘッドケース１３の後部の長手方向中央部に開口されていて、接続管３１の入口をなす前記固定管部に対向されている。
【００３０】
図３に示すように吸い口３５は回転清掃体２１の後側に設けられている。吸い口３５は、回転清掃体２１が収められた下部ヘッドケース１３内の前側に区画された前側室部に、この室部と吸い口３５とを仕切った仕切り壁等に設けた切欠き状の溝１３ｈ,１３ｉを介して連通されている。図３中符号３６は下方に開放された溝状をなす導風壁を示し、この導風壁３６により溝１３ｉを通った含塵空気が吸い口３５に導かれる。吸込み口体１１が裏返された状態で、回転清掃体２１、吸い口３５、及び導風壁３６等は、吸込み開口１５の内側に位置されている。
【００３１】
なお、図３及び図７中符号３７は接続凸部１３ｅの根元部に開口された通気孔を示している。通気孔３７は接続管３１の前記固定管部に対してその前側近傍でかつ前記風路の出口３８の近傍に位置されている。フローリング床面を掃除する場合、通気孔３７は床面により閉じられるようになるので、この通気孔３７を通しての吸込みは無視できる程である。しかし、吸込み口体１１がフローリング床面から上方に離された場合、及び吸込み口体１１が裏返された場合、通気孔３７を通しての吸込みがなされる。これとともに、通気孔３７より風路抵抗が大きい前記風路側からの吸込み風量が減らされて、後述のファン４５の駆動を低下させ若しくは停止させるようになっている。
【００３２】
図６に示すように吸込みヘッド１２に清掃体駆動手段４１が内蔵されている。本実施形態では、清掃体駆動手段４１に例えば吸込みヘッド１２を流通する気流を利用して動作するエア駆動式のものを採用したが、これに代えて電動機により駆動される清掃体駆動手段を用いることができる。
【００３３】
エア駆動式の清掃体駆動手段４１は、図６に示すようにファンブロック４２と伝動部５１とからなる。
【００３４】
ファンブロック４２は、下部ヘッドケース１３と上部ヘッドケース１４とで上下から挟持されている。このファンブロック４２は、図６に示した仕切り部４３と、ファンケーシング部４４と、ファン４５と、図８に示した吐出し風路壁４６と、駆動歯車４７を有している。
【００３５】
仕切り部４３は吸い口３５から接続管３１の入口に至る前記風路を上側から仕切っている。これとともに、仕切り部４３と上部ヘッドケース１４との間に外気通路（図示しない）が形成されていて、この外気通路の通路入口４８（図２参照）が上部ヘッドケース１４の一端部に設けられている。通路入口４８は図５に示すように上部ヘッドケース１４を貫通する多数の小孔により形成されている。
【００３６】
図６に示すようにファンケーシング部４４は、下部ヘッドケース１３の長手方向（幅方向）中央部に位置された仕切り部４３の一端部に形成されている。このファンケーシング部４４と、これにその上側から嵌合された上部ヘッドケース１４の図示しないファンケーシング部とにより、ファン格納室が形成されていて、この格納室と前記外気通路とは通路出口４９により連通されている。
【００３７】
ファン４５は下部ヘッドケース１３に回転自在に軸支されてファン格納室に格納されている。図８に示すように吐出し風路壁４６は仕切り部４３の一端部裏面に、この一端部との間に図示しない吐出し風路を形成して一体に形成されている。この吐出し風路は前記ファン格納室の底面に開口された図示しない通孔により前記ファン格納室と連通されており、それによりファン４５から吐き出される空気が吐出し風路を流通するようになっている。図３及び図８中符号５０は吐出し風路の風路出口を示している。この風路出口５０は接続管３１の入口にその前側から対向されている。吐出し風路はリブ１３ｆ,１３ｇ間の前記風路とは仕切られており、この風路の出口３８と風路出口５０は、並んで接続管３１の入口に対向している。
【００３８】
駆動歯車４７は、吐出し風路壁４６の裏側、つまり、下側に配置されている。図８に示すように駆動歯車４７の下端面には偏心軸５２が突設されている。駆動歯車４７の中心軸線に対する偏心軸５２の偏心寸法を図８に符号ｌで示す。したがって、ファン４５とともに駆動歯車４７が回転されると、この駆動歯車４７の中心軸線を中心として偏心寸法ｌを半径とする円を描いて偏心軸５２が回転されるようになっている。
【００３９】
図６に示すように伝動部５１は、歯車減速機５３と、入力側伝動機構５４と、出力側伝動機構５５を備えている。入力側伝動機構５４は、例えば駆動歯車４７と、歯車減速機５３が有した入力歯車５３ａと、これらに巻き掛けて張り渡された入力側タイミングベルト５４ａとで形成されているが、歯車伝動機構を用いてもよい。出力側伝動機構５５は、例えば歯車減速機５３が有した出力歯車５３ｂと、回転清掃体２１が有した受動歯車２５と、これらに巻き掛けて張り渡された出力側タイミングベルト５５ａとで形成されているが、歯車伝動機構を用いてもよい。
【００４０】
吸込みヘッド１２に拭きユニット６１が往復移動可能に取付けられている。図１０（Ａ）（Ｂ）等に示すように拭きユニット６１は、左右一対の端部床面拭き部材６２と、後部床面拭き部材６３と、左右一対の側面部材６４と、例えば左右一対の前面拭き部材６５を備えている。
【００４１】
端部床面拭き部材６２は、図５で示すように下ベース部６２ａと下部拭き要素６２ｂとからなる。下ベース部６２ａは合成樹脂製で前記端側底壁部１３ａ１に見合った大きさの平板状をなしている。下部拭き要素６２ｂは、モヘアやパイル等からなり、下ベース部６２ａの下面に貼り付けて装着されている。
【００４２】
後部床面拭き部材６３は、一対の端部床面拭き部材６２にわたって設けられていて、これら端部床面拭き部材６２と同様に下ベース部６３ａと後部拭き要素６３ｂとからなる。下ベース部６３ａは合成樹脂製で前記後側底壁部１３ａ２に見合った大きさの平板状をなしている。この下ベース部６３ａは端部床面拭き部材６２の下ベース部６２ａと一体に成形されている。後部拭き要素６３ｂは、モヘアやパイル等からなり、下ベース部６３ａの下面に貼り付けて装着されている。この後部拭き要素６３ｂも端部床面拭き部材６２の下部拭き要素６２ｂと一体に設けられ、かつ、これら下部拭き要素６２ｂと後部拭き要素６３ｂは面一に連続されている。したがって、一対の端部床面拭き部材６２と後部床面拭き部材６３とは、コの字状をなして互いに連続されている。
【００４３】
側面部材６４は、端部床面拭き部材６２から上向きに折れ曲がって設けられていて、図１０（Ｂ）に示すように側面ベース部６４ａと側面拭き要素６４ｂとからなる。側面ベース部６４ａは合成樹脂製で端部床面拭き部材６２の下ベース部６２ａと一体に成形されている。側面拭き要素６４ｂは、モヘアやパイル等からなり、側面ベース部６４ａの側面に貼り付けて装着されている。この側面拭き要素６４ｂは端部床面拭き部材６２の下部拭き要素６２ｂと一体に連続されている。
【００４４】
前面拭き部材６５は、側面部材６４の前端から折れ曲がって設けられていて、端部床面拭き部材６２を前側から覆っている。この前面拭き部材６５は、図１０（Ａ）（Ｂ）に示すように前ベース部６５ａと前部拭き要素６５ｂとからなる。前ベース部６５ａは、合成樹脂製で端部床面拭き部材６２の下ベース部６２ａ及び側面部材６４の側面ベース部６４ａと一体に成形されている。更に、前ベース部６５ａは、側面ベース部６４の前端から折れ曲がっているとともに、下ベース部６２ａの前端に対しても折れ曲がっている。この前ベース部６５ａの長さは端部床面拭き部材６２の左右方向の幅よりも長い。前部拭き要素６５ｂは、モヘアやパイル等からなり、前ベース部６５Ａの前面に貼り付けて装着されている。この前部拭き要素６５ｂは側面部材６４の側面拭き要素６４ｂと一体に連続されている。
【００４５】
前部拭き要素６５ｂの下縁と下部拭き要素６２ｂの前端とは非連続であるとともに、前部拭き要素６５ｂの下縁は下部拭き要素６２ｂの下面よりも下方に位置されているので、これらの縁部間に図５に示す通気溝６６が形成されている。通気溝６６は前部拭き要素６５ｂの前縁に沿って左右方向に延びており、この通気溝６６に前ベース部６５ａの下縁が露出されている。なお、図５中符号Ａはフローリング床面を示し、符号Ｂはフローリング床面に対して略直角に起立された室内側壁端を示している。
【００４６】
後部床面拭き部材６３の下ベース部６３ａの裏面（上面）には、図１０（Ｂ）に示すように前記長孔１６と同数の摺動凸部６７が一体に突設されている。更に、下ベース部６３ａの長手方向中央部にはスリット状の係合溝６８を有した受動部材６９が一体に形成されている。
【００４７】
前記構成の拭きユニット６１は下部ヘッドケース１３に対して左右方向に移動可能に取付けられている。下部ヘッドケース１３に取付けられた拭きユニット６１が有した一対の端部床面拭き部材６２は、下部ヘッドケース１３の端側底壁部１３ａ１をその下方から覆っている。これら端部床面拭き部材６２は、吸込みヘッド１２を前又は後方向から見た状態で、回転清掃体２１の床面清掃部材２３に対してその左右両側に連続するように配設されている。下部ヘッドケース１３に取付けられた拭きユニット６１が有した後部床面拭き部材６３は、下部ヘッドケース１３の後側底壁部１３ａ２内に嵌合されて、この後側底壁部１３ａ２をその下方から覆っている。
【００４８】
以上のように配設された左右一対の端部床面拭き部材６２と後部床面拭き部材６３とは、図３に示すように吸込み開口１５をその前側を除いて囲んでいる。これら端部床面拭き部材６２と後部床面拭き部材６３の下面は面一であるとともに、この下面の高さ位置は、前記受圧部材１８の下面よりも多少高い位置にある。
【００４９】
図７に示すように受動部材６９は、下部ヘッドケース１３の逃げ孔１３ｊより小さく、この逃げ孔１３ｊ内に収容されている。受動部材６９は逃げ孔１３ｊ内を左右方向に移動可能である。更に、図５に示すように各摺動凸部６７は対応する位置の下部ヘッドケース１３の長孔１６に摺動可能に嵌合されている。これらの摺動凸部６７との間に摺動リング７０を介在させて各摺動凸部６７にねじ７１を夫々ねじ込むことにより、下部ヘッドケース１３が拭きユニット６１が左右方向に移動可能に支持されている。摺動リング７０は、滑性が高い材料で作られていて、その直径は、長孔１６の長手方向と直交する方向の孔の幅より大きく、下部ヘッドケース１３に対する拭きユニット６１の外れ止めをなしている。
【００５０】
下部ヘッドケース１３に取付けられた拭きユニット６１が有した一対の側面部材６４は、下部ヘッドケース１３の左右の側壁１３ｃの下部側面を覆っている。下部ヘッドケース１３に取付けられた拭きユニット６１が有した一対の前面拭き部材６５は、下部ヘッドケース１３の前壁１３ｂの下部前面を覆っている。これらの前面拭き部材６５は、吸込みヘッド１２の最も前に配置されている。更に、図３に示すように一対の前面拭き部材６５は、回転清掃体２１が有した床面清掃部材２３の長手方向両端部の前面を覆っている。これとともに、下部拭き要素６２ｂと前部拭き要素６５ｂ間の通気溝６６は、下部ヘッドケース１３の吸込み開口１５に連通されている。
【００５１】
拭きユニット６１は拭き部材駆動手段により往復移動されるようになっている。拭き部材駆動手段は、例えば清掃体駆動手段４１を駆動部として共用して形成されている。詳しく、拭き部材駆動手段は、清掃体駆動手段４１のファン（駆動部）４５と、前記偏心軸５２と、拭きユニット６１の受動部材６９とで形成されており、偏心軸５２は受動部材６９の係合溝６８に挿入されている。
【００５２】
前記構成の電気掃除機１の電動送風機が運転されると、それに伴い吸込み口体１１の吸込み開口１５を通って吸込まれた含塵空気が、吸込み口体１１、延長管７、吸塵ホース６を、この記載順に通過して掃除機本体２内に導かれる。それにより、掃除機本体２内で空気と塵が分離されて、塵が集塵部内に溜められる一方で、電動送風機に吸込まれるとともにこの電動送風機から排出された空気が掃除機本体２の外部に放出される。
【００５３】
こうした掃除下での吸込み口体１１を通る含塵空気の流通経路は以下の通りである。
【００５４】
即ち、含塵空気は、吸込み開口１５から回転清掃体２１の周囲を通って、吸い口３５に吸込まれた後、ファンブロック４２の下側に形成されている風路を経由して、接続管３１の入り口である図示しない固定筒部に吸込まれ、更に前側接続管部３２から後側接続管部３３を流通する。  
こうした含塵空気の流れとは別に吸込み口体１１には外気が通されてファン４５が回転される。つまり、上部ヘッドケース１４の通路入口４８から図示しない前記外気通路に吸込まれた外気が、通路出口４９からファン格納室を経由して図示しない吐出し風路を流通し、この風路の風路出口５０から接続管３１に吸込まれる。このため、ファン格納室に格納されたファン４５が回転される。
【００５５】
ファン４５は清掃体駆動手段４１の駆動部であるので、この清掃体駆動手段４１の入力側伝動機構５４、歯車減速機５３、及び出力側伝動機構５５を経由して、ファン４５の回転力が回転清掃体２１に与えられて、この回転清掃体２１が回転される。そのため、フローリング床面Ａ上の塵が回転清掃体２１の床面清掃部材２３で掻き上げられて、既述の含塵空気の流れに乗って運ばれる。
【００５６】
この掃除において、回転清掃体２１の回転により、その床面清掃部材２３がフローリング床面Ａを擦るようにして塵を掻き上げるので、それに伴い、フローリング床面Ａが床面清掃部材２３によって磨かれて艶出しされる。
【００５７】
しかも、ファン４５は拭き部材駆動手段の駆動部を兼ねているので、拭きユニット６１が繰り返し左右方向に往復移動される。こうした拭きユニット６１の振動動作を図１１により説明する。
【００５８】
図１１（Ａ）（Ｂ）に示すように拭き部材駆動手段の偏心軸５２が、受動部材６９が有した係合溝６８の長手方向一端部に位置された状態から、ファン４５とともに回転される駆動歯車４７の回転に伴い、偏心軸５２が時計回りに回転するものとする。この回転により、図１１（Ｃ）に示すように偏心軸５２と係合溝６８との相対位置が変わるに伴い、偏心軸５２が、受動部材６９を介して後部床面拭き部材６３を図１１（Ｃ）（Ｄ）中矢印Ｌ１に示す方向に押して移動させる。これにより、後部床面拭き部材６３を有した拭きユニット６１が矢印Ｌ１で示した左方向に移動される。
【００５９】
この後、偏心軸５２と係合溝６８との相対位置が図１１（Ｅ）に示すように変わるに伴い、偏心軸５２が、受動部材６９を介して後部床面拭き部材６３を図１１（Ｅ）（Ｆ）中矢印Ｒ１に示す方向に押して移動させる。これにより、後部床面拭き部材６３を有した拭きユニット６１が矢印Ｒ１で示した右方向に移動される。
【００６０】
回転の継続により偏心軸５２と係合溝６８との相対位置が図１１（Ｇ）に示すように変わるに伴い、偏心軸５２が、受動部材６９を介して後部床面拭き部材６３を図１１（Ｇ）（Ｈ）中矢印Ｒ２に示す方向に押して移動させる。これにより、後部床面拭き部材６３を有した拭きユニット６１が矢印Ｒ２で示したように更に右方向に移動される。
【００６１】
更に、回転の継続により駆動歯車４７及び偏心軸５２が一回転して、偏心軸５２と係合溝６８との相対位置が図１１（Ａ）に示すように戻されるに伴い、偏心軸５２が、受動部材６９を介して後部床面拭き部材６３を図１１（Ａ）（Ｂ）中矢印Ｌ２に示す方向に押して移動させる。これにより、後部床面拭き部材６３を有した拭きユニット６１が矢印Ｒ２で示した右方向に移動される。
【００６２】
こうして駆動歯車４７及び偏心軸５２の一回転について拭きユニット６１が一往復左右方向に移動され、この一サイクルの動作が偏心軸５２の回転の継続により繰り返される。それに伴い、左右一対の端部床面拭き部材６２がフローリング床面Ａを擦るので、フローリング床面Ａ上の塵を容易にフローリング床面Ａから分離させることができる。
【００６３】
これら左右一対の端部床面拭き部材６２は、吸込みヘッド１２を前又は後方向から見た状態で、回転清掃体２１の床面清掃部材２３に対してその左右両側に連続するように配設されているので、これら端部床面拭き部材６２と回転清掃体２１とによって、吸込みヘッド１２のほぼ全幅でフローリング床面Ａを掃除することができる。
【００６４】
そのため、室内側壁Ｂに側面部材６４が接するようにして掃除をする場合には、この室内側壁Ｂにより近い床面位置を一方の端部床面拭き部材６２で掃除することが可能である。その際、側面部材６４が室内側壁Ｂに当たることがあっても、側面部材６４の側面拭き要素６４ｂで緩衝できるので、側面部材６４をバンパーとして機能させることができる。
【００６５】
既述の掃除において、フローリング床面Ａを擦る左右一対の端部床面拭き部材６２によって、フローリング床面Ａは磨かれて艶出しされる。更に、端部床面拭き部材６２とともに繰り返し往復移動される後部床面拭き部材６３においても、フローリング床面Ａからの塵の分離及びフローリング床面Ａの艶出しが行われる。
【００６６】
しかも、吸込み開口１５はその前側を除く三方を左右一対の端部床面拭き部材６２と後部床面拭き部材６３とで囲まれているので、吸込み開口１５の真空度が上がり、それに伴い吸塵性能を向上できる。これとともに、一対の端部床面拭き部材６２と後部床面拭き部材６３が一体であるので、これらがフローリング床面Ａを擦ることに伴って、端部床面拭き部材６２及び後部床面拭き部材６３は、それらが別々であって下部ヘッドケース１３に貼り付けられている場合に比較して、剥がれ難い。
【００６７】
更に、吸込みヘッド１２の前端が室内側壁Ｂに押付けられると、拭きユニット６１の前面拭き部材６５が室内側壁Ｂの下端部に押し当てられる。そのため、前面拭き部材６５の左右方向への振動によって室内側壁Ｂの下端部に付着している塵を容易に分離して落すことができる。
【００６８】
しかも、前面拭き部材６５が室内側壁Ｂに押付けられた状態では、通気溝６６の真空度が高められる。そのため、前面拭き部材６５が落とされた塵を、通気溝６６を通って空気が吸込み開口１５に吸込まれる空気流に載せて容易に吸込み開口１５に吸引できる。
【００６９】
なお、拭きユニット６１が往復移動される方向を、吸込みヘッド１２の前後方向として実施する場合には、前記長孔１６を前後方向に延ばして設けるとともに、受動部材６８を左右方向に延びるように設ければ良い。このようにした場合には、室内側壁Ｂの下端部に付着している塵を、前後方向に振動される側面部材６４の側面拭き要素６４ｂで擦って容易に落とすことができる。
【００７０】
又、側面拭き要素６４ｂとこれと一体の前部拭き要素６５ｂを、下部拭き要素６２ｂと後部拭き要素６３ｂとから分離して下部ヘッドケース１３に貼付けることにより、下部拭き要素６２ｂ及び後部拭き要素６３ｂの側面部材６４側の縁と、側面拭き要素６４ｂとの間に前後方向に伸びる通気溝を形成し、更に、この通気溝を吸込み開口１５に連通させて実施した場合には、側面拭き要素６４ｂが室内側壁Ｂから擦り落とした塵を容易に吸込み開口１５に吸引できる。
【００７１】
又、既述の掃除において、フローリング床面Ａに沿って吸込み口体１１を前進させる際、この吸込み口体１１には延長管７を介して斜め下向きの操作力Ｆ（図４参照）が加えられる。この操作力は、拭きユニット６１より後方に位置されている下部ヘッドケース１３の接続凸部１３ｅに主として作用し、受圧部材１８及びローラ１７で主に支持される。それに伴い、前記操作力によって、拭きユニット６１がフローリング床面Ａに強く押付けられないようにできるので、拭きユニット６１の左右方向の往復移動（振動）を容易かつ確実に実行させて、既述のようにフローリング床面Ａ等を掃除することができる。
【００７２】
図１２から図１４は本発明の第２の実施の形態を示している。この第２実施形態は、以下説明する事項を除いて第１実施形態と同じ構成であるので、第１実施形態と同じ構成については第１実施形態と同一符号を付してその説明を省略する。
【００７３】
第２実施形態では、吸込みヘッド１２がその下部ヘッドケース１３から下方に突出する固定ブラシ７５を備えている。具体的には、固定ブラシ７５は、左右一対の前面拭き部材６５の前ベース部６５ａの下面に夫々植毛されて、回転清掃体２１の軸方向と平行な列をなして設けられている。この固定ブラシ７５の下方への突出長さは、これに隣接された端部床面拭き部材６２が有した下部拭き要素６２ｂの厚みよりも長い。
【００７４】
更に、第２実施形態では、固定ブラシ７５の後側、つまり、この固定ブラシ７５と下部拭き要素６２ｂの前縁との間に、通気用の根元溝７６を設けている。この根元溝７６は、固定ブラシ７５の根元に沿って延びていて、吸込み開口１５に連通されている。
【００７５】
吸込み口体１１が以上のような固定ブラシ７５を備えたことより、この吸込み口体１１をフローリング床面に沿って移動させるに伴って、フローリング床面をなす床材間に設けられているＶ字状の溝内の塵を、固定ブラシ７５で掻き出すことができる。それだけではなく、掻き出された塵を、掻き出される傍から根元溝７６を流通する空気によって吸込み開口１５に吸引することができる。以上のように第２実施形態の吸込み口体１１を用いて掃除をすることで、フローリング床面の最表面だけではなくフローリング床面が有した溝内を含めて掃除することができる。
【００７６】
以上説明した事項以外は、図１２から図１４に示されない構成を含めて第２実施形態は第１実施形態と同じであるので、第１実施形態で既に説明した理由によって、第２実施形態は本発明の課題を解決できる。
【００７７】
なお、下部拭き要素６２ｂと後部拭き要素６３ｂとが前後に分離されている場合、これらの部材間に下部拭き要素６２ｂの後縁に沿う列状の固定ブラシ７５を設けるとともに、この固定ブラシ７５の根元に沿って延びる根元溝を固定ブラシ７５の根元に沿って設けて、第２実施形態を実施することもできる。更に、固定ブラシ７５を、下部拭き要素６２ｂに対して直角または斜めに横切って設けるとともに、この固定ブラシ７５の根元に沿って延びて下部拭き要素６２ｂを横切る根元溝を固定ブラシ７５の根元に沿って設けて、第２実施形態を実施することもできる。
【００７８】
前記各実施形態では、清掃体駆動手段４１の駆動部と拭き部材駆動手段の駆動部を、一個のファン４５で共用したので、構成が簡単である点で好ましいが、これらの駆動部を別々に設けて本発明を実施することができるとともに、駆動部を共用するか否かを問わず、駆動部にはファン４５に代えて電動機を採用できる。
【００７９】
更に、本発明は、側面部材６４及び前面拭き部材６５を省略して実施できるとともに、これらに加えて後部床面拭き部材６３を省略して実施することも可能である。
【符号の説明】
【００８０】
１…電気掃除機、２…掃除機本体、２ｂ…吸塵口、５…吸込み風路体、６…吸塵ホース、６ａ…吸塵ホースの一端部、６ｂ…吸塵ホースの他端部、７…延長管、７ｃ…延長管の先端部、１１…吸込み口体、１２…吸込みヘッド、１３ａ…下部ヘッドケースの底壁（吸込みヘッドの底壁）、１３ｅ…接続凸部、１５…吸込み開口、１８…受圧部材、２１…回転清掃体、２３…床面清掃部材（回転清掃体の周部）、２４…軸受、３１…接続管、３２…前側接続管部、３３…後側接続管部、４１…清掃体駆動手段、５２…偏心軸（拭き部材駆動手段の一部）、６１…拭きユニット、６２…端部床面拭き部材、６２ａ…端部床面拭き部材の下ベース部、６２ｂ…下部拭き要素、６３…後部床面拭き部材、６３ａ…後部床面拭き部材の下ベース部、６３ｂ…後部拭き要素、６５…前面拭き部材、６５ａ…前ベース部、６５ｂ…前部拭き要素、６６…通気溝、６８…係合溝、６９…受動部材（拭き部材駆動手段の一部）、７５…固定ブラシ、７６…根元溝
【図１】
2010259534.tif 000003
【図２】
2010259534.tif 000004
【図３】
2010259534.tif 000005
【図４】
2010259534.tif 000006
【図５】
2010259534.tif 000007
【図６】
2010259534.tif 000008
【図７】
2010259534.tif 000009
【図８】
2010259534.tif 000010
【図９】
2010259534.tif 000011
【図１０】
2010259534.tif 000012
【図１１】
2010259534.tif 000013
【図１２】
2010259534.tif 000014
【図１３】
2010259534.tif 000015
【図１４】
2010259534.tif 000016